(57)【要約】【課題】養生テープを基礎の立ち上がり部の側面に貼り付ける際の作業時間を短縮すると共に、しわの発生を抑えて、見栄えを改善することができる養生テープ貼り付け治具及び養生テープ貼り付け方法を提供する。【解決手段】  基礎の立ち上がり部の側面に養生テープを貼り付けるための養生テープ貼り付け治具１であって、上下一対のプレート部材２，３と、ロール状に巻かれた養生テープ４を保持する保持部５と、立ち上がり部の天端面に引っ掛けられた状態で転動する車輪６と、車輪６を天端面上で転動させることにより上下一対のプレート部材２，３を立ち上がり部の側面に沿って移動させるためのハンドル７ａ，７ｂと、上下一対のプレート部材２，３の移動に伴って保持部５から引き出された養生テープ４を立ち上がり部の側面に押圧して貼り付ける押圧ローラ８とを備えている。【選択図】図１
2015187327.tif 000002
【特許請求の範囲】
【請求項１】
基礎の立ち上がり部の側面に養生テープを貼り付けるための養生テープ貼り付け治具であって、
上下一対のプレート部材と、
ロール状に巻かれた養生テープを保持する保持部と、
上部側の前記プレート部材に設けられ、前記立ち上がり部の天端面に引っ掛けられた状態で転動する車輪と、
前記上下一対のプレート部材に取り付けられ、前記車輪を前記天端面上で転動させることにより前記上下一対のプレート部材を前記立ち上がり部の側面に沿って移動させるためのハンドルと、
前記上下一対のプレート部材に回転自在に取り付けられ、当該上下一対のプレート部材の移動に伴って前記保持部から引き出された前記養生テープを前記立ち上がり部の側面に押圧して貼り付ける押圧ローラと、を備えることを特徴とする養生テープ貼り付け治具。
【請求項２】
前記車輪は、上部側の前記プレート部材に、前記上下一対のプレート部材の移動方向に対して所定間隔離して２個設けられていることを特徴とする請求項１に記載の養生テープ貼り付け治具。
【請求項３】
前記車輪の高さ位置を調節する高さ調節手段を備えることを特徴とする請求項１又は２に記載の養生テープ貼り付け治具。
【請求項４】
前記ハンドルは、前記上下一対のプレート部材の移動方向に対して所定間隔離して２個設けられていることを特徴とする請求項１乃至３のいずれかに記載の養生テープ貼り付け治具。
【請求項５】
前記それぞれのハンドルは、上端が上部側の前記プレート部材よりも上方に位置するように上下方向に延びる棒状部と、前記それぞれの棒状部の上端側に設けられ、前記立ち上がり部の側面から離れる方向に向けて延びる把持部とを有していることを特徴とする請求項４に記載の養生テープ貼り付け治具。
【請求項６】
前記移動方向前方側のハンドルは、後方側のハンドルよりも前記立ち上がり部の側面から離れた位置に配置されていることを特徴とする請求項４又は５に記載の養生テープ貼り付け治具。
【請求項７】
前記押圧ローラに対して前記立ち上がり部の側面の反対側に位置するように、前記養生テープを切断する際に前記押圧ローラを保護するためのガード部材が、前記上下一対のプレート部材に取り付けられていることを特徴とする請求項１乃至６のいずれかに記載の養生テープ貼り付け治具。
【請求項８】
請求項１乃至７のいずれかに記載の養生テープ貼り付け治具を用いて、基礎の立ち上がり部の側面に前記養生テープを貼り付けることを特徴とする養生テープ貼り付け方法。
【発明の詳細な説明】
【技術分野】
【０００１】
本発明は、基礎の立ち上がり部の側面に養生テープを貼り付けるための養生テープ貼り付け治具及び養生テープ貼り付け方法に関する。
【背景技術】
【０００２】
従来から、住宅等の建物における基礎としては、耐久性を高めるために、コンクリート内部に鉄筋を埋設した鉄筋コンクリート造のものが一般的に知られている。このような鉄筋コンクリート造の基礎では、コンクリート型枠を脱枠した後、大気中に曝される基礎の立ち上がり部のコンクリート表面から水分が蒸発し、乾燥収縮を引き起こすことにより表面にひび割れが発生することがある。また、鉄筋コンクリート造の基礎は、コンクリートに含まれる水酸化カルシウムによって強アルカリ性になっているため、鉄筋における錆の発生が抑制されているが、大気中に含まれる二酸化炭素、窒素酸化物、硫黄酸化物等の酸性物質、或いは雨水や結露水等に含まれる水分といった劣化因子と反応することにより、コンクリートが経時的に中性化する。このようにコンクリートが中性化すると、コンクリート内部の鉄筋に錆が発生することにより、鉄筋が膨張し、コンクリートにひび割れ等を引き起こすことになり、基礎の耐久性が低下するといった問題が生じる。このようなコンクリートの中性化の問題は、地中に埋没された部分よりも大気中に曝された基礎の立ち上がり部において発生し易く、特に屋外側よりも劣化因子が滞留し易い床下空間に面する屋内側において進行し易い傾向にある。
【０００３】
そこで、従来から、基礎の立ち上がり部にコンクリートの中性化を抑制する塗料を塗布することにより、立ち上がり部の表面にひび割れが発生するのを抑制し、耐久性を向上させた基礎構造が提案されている（例えば、特許文献１参照）。一方で、本発明者らは、コストを軽減すると共に、作業効率を向上させるために、基礎の立ち上がり部にこのような塗料を塗布する代わりに、コンクリート型枠の脱枠後に、養生テープを立ち上がり部の側面に貼り付けることにより、立ち上がり部のコンクリート表面を保水養生することで、乾燥収縮を低減して、ひび割れが発生するのを抑制することを考え出した。
【０００４】
しかしながら、養生テープを手作業で基礎の立ち上がり部の側面に貼り付ける場合には、作業に手間を要すると共に、しわが生じてしまい、見栄えが悪くなるという問題がある。また、養生テープを貼り付けるための装置としては、これまでに様々なものが提案されている（例えば、特許文献２及び特許文献３参照）が、これらは、基礎の立ち上がり部の側面に貼り付けるためのものではないため、基礎の立ち上がり部の側面に養生テープを貼り付ける際に用いることはできない。また、従来は、養生テープを貼り付けるための装置として、基礎の立ち上がり部の側面に養生テープを効率的に貼り付けるためのものはなかった。
【先行技術文献】
【特許文献】
【０００５】
【特許文献１】特開２０１１−０３２８２１号公報
【特許文献２】特開平１０−１１３９８７号公報
【特許文献３】特開２００４−２９０８４２号公報
【発明の概要】
【発明が解決しようとする課題】
【０００６】
本発明は、上記のような課題に鑑みてなされたものであって、養生テープを基礎の立ち上がり部の側面に貼り付ける際の作業時間を短縮すると共に、しわの発生を抑えて、見栄えを改善し、密着性を高めることができる養生テープ貼り付け治具及び養生テープ貼り付け方法を提供することを目的とする。
【課題を解決するための手段】
【０００７】
上記目的を達成するために、請求項１に記載の養生テープ貼り付け治具は、基礎の立ち上がり部の側面に養生テープを貼り付けるための養生テープ貼り付け治具であって、上下一対のプレート部材と、ロール状に巻かれた養生テープを保持する保持部と、上部側の前記プレート部材に設けられ、前記立ち上がり部の天端面に引っ掛けられた状態で転動する車輪と、前記上下一対のプレート部材に取り付けられ、前記車輪を前記天端面上で転動させることにより前記上下一対のプレート部材を前記立ち上がり部の側面に沿って移動させるためのハンドルと、前記上下一対のプレート部材に回転自在に取り付けられ、当該上下一対のプレート部材の移動に伴って前記保持部から引き出された前記養生テープを前記立ち上がり部の側面に押圧して貼り付ける押圧ローラと、を備えることを特徴としている。
【０００８】
請求項２に記載の養生テープ貼り付け治具は、前記車輪が、上部側の前記プレート部材に、前記上下一対のプレート部材の移動方向に対して所定間隔離して２個設けられていることを特徴としている。
【０００９】
請求項３に記載の養生テープ貼り付け治具は、前記車輪の高さ位置を調節する高さ調節手段を備えることを特徴としている。
【００１０】
請求項４に記載の養生テープ貼り付け治具は、前記ハンドルが、前記上下一対のプレート部材の移動方向に対して所定間隔離して２個設けられていることを特徴としている。
【００１１】
請求項５に記載の養生テープ貼り付け治具では、前記それぞれのハンドルは、上端が上部側の前記プレート部材よりも上方に位置するように上下方向に延びる棒状部と、前記それぞれの棒状部の上端側に設けられ、前記立ち上がり部の側面から離れる方向に向けて延びる把持部とを有していることを特徴としている。
【００１２】
請求項６に記載の養生テープ貼り付け治具は、前記移動方向前方側のハンドルが、後方側のハンドルよりも前記立ち上がり部の側面から離れた位置に配置されていることを特徴としている。
【００１３】
請求項７に記載の養生テープ貼り付け治具は、前記押圧ローラに対して前記立ち上がり部の側面の反対側に位置するように、前記養生テープを切断する際に前記押圧ローラを保護するためのガード部材が、前記上下一対のプレート部材に取り付けられていることを特徴としている。
【００１４】
請求項８に記載の養生テープ貼り付け方法は、請求項１乃至７のいずれかに記載の養生テープを貼り付け治具を用いて、基礎の立ち上がり部の側面に前記養生テープを貼り付けることを特徴としている。
【発明の効果】
【００１５】
請求項１に記載の養生テープ貼り付け治具によれば、作業者は、ハンドルを用いて、上下一対のプレート部材の上部側のプレート部材に設けられた車輪を基礎の立ち上がり部の天端面に引っ掛けた状態で転動させることにより、上下一対のプレート部材を立ち上がり部の側面に沿って移動させることで、養生テープを押圧ローラによって立ち上がり部の側面に押圧しながら貼り付けることができるので、養生テープと立ち上がり部の側面を密着させ、気泡の混入を防止して、貼り付け時にしわが発生することを抑制しつつ、養生テープの天端面からの高さ（水平性）を一定に維持したまま、養生テープの貼り付け作業を効率的に行うことができる。これにより、作業時間を大幅に短縮することができると共に、見栄えを改善することができる。
【００１６】
請求項２に記載の養生テープ貼り付け治具によれば、上部側のプレート部材に設けられる車輪は、上下一対のプレート部材の移動方向に対して所定間隔離して２個設けられているので、立ち上がり部の天端面に安定した状態で引っ掛けることができ、養生テープの貼り付け作業をより効率良く行うことができる。
【００１７】
請求項３に記載の養生テープ貼り付け治具によれば、車輪の高さ位置を調節する高さ調節手段を備えているので、作業者は、必要に応じて車輪の高さ位置を調節することにより、立ち上がり部の側面に貼り付ける養生テープの高さを容易に調節することができる。
【００１８】
請求項４に記載の養生テープ貼り付け治具によれば、ハンドルは、上下一対のプレート部材の移動方向に対して所定間隔離して２個設けられているので、作業者は、それぞれのハンドルをそれぞれの手で把持した状態で、立ち上がり部の天端面に引っ掛けられた車輪を転動させることにより、上下一対のプレート部材を立ち上がり部の側面に沿って移動させることができるため、養生テープの貼り付け作業を安定的且つ容易に行うことができる。
【００１９】
請求項５に記載の養生テープ貼り付け治具によれば、それぞれのハンドルは、上端が上部側のプレート部材よりも上方に位置するように上下方向に延びる棒状部と、それぞれの棒状部の上端側に設けられ、立ち上がり部の側面から離れる方向に向けて延びる把持部とを有しているので、作業者は棒状部の上端側に設けられた把持部を把持した状態で作業を行うことにより、ほとんど屈むことなく、立ち上がり部の側面に養生テープを貼り付けることができるため、作業者の負担を軽減することができる。また、把持部は、棒状部の上端側に、立ち上がり部の側面から離れる方向に向けて延びるように設けられているので、作業者は、把持部に対して下向きの力を加えることにより、立ち上がり部の天端面に引っ掛けられた車輪を支点としたてこの原理により押圧ローラに対して養生テープを立ち上がり部の側面に押し付ける力を容易に作用させることができる。そのため、作業者は、少ない力で押圧ローラにより養生テープを立ち上がり部の側面側に押圧することができるので、作業者の負担を軽減しつつ、効率的に貼り付け作業を行うことができる。
【００２０】
請求項６に記載の養生テープ貼り付け治具によれば、上下一対のプレート部材の移動方向の前方側に位置するハンドルは、後方側のハンドルよりも立ち上がり部の側面から離れた位置に配置されているため、作業者は、押圧ローラによって立ち上がり部の側面に養生テープを押圧しながら、上下一対のプレート部材の移動方向に対して力を入れ易い体勢でハンドルを把持して作業を行うことができるので、養生テープの貼り付け作業をより効率的に行うことができる。
【００２１】
請求項７に記載の養生テープ貼り付け治具によれば、養生テープを切断する際に押圧ローラを保護するためのガード部材が設けられているので、立ち上がり部の側面へ貼り付けた養生テープをカッター等で切断する際に、誤って押圧ローラを傷つけてしまうことを防止することができる。
【００２２】
請求項８に記載の養生テープ貼り付け方法によれば、しわが発生することを抑制しつつ、養生テープの天端面からの高さを一定に維持したまま、養生テープの貼り付け作業を効率的に行うことができるので、作業時間を大幅に短縮することができると共に、見栄えを改善することができる。
【図面の簡単な説明】
【００２３】
【図１】本発明に係る養生テープ貼り付け治具の一例を示す正面側から見た概略斜視図である。
【図２】本発明に係る養生テープ貼り付け治具の一例を示す背面側から見た概略斜視図である。
【図３】本発明に係る養生テープ貼り付け治具の一例を示す概略正面図である。
【図４】本発明に係る養生テープ貼り付け治具の一例を示す概略側面図である。
【図５】本発明に係る養生テープ貼り付け治具の一例を示す概略平面図である。
【図６】上部プレート部材の一例を示す概略平面図である。
【図７】下部プレート部材の一例を示す概略平面図である。
【図８】本発明に係る養生テープ貼り付け治具を用いて、基礎の側面に養生テープを貼り付ける際の状態を示す概略側面断面図である。
【図９】本発明に係る養生テープ貼り付け治具を用いて、基礎の側面に養生テープを貼り付ける際の状態を示す概略平面図である。
【図１０】本発明に係る養生テープ貼り付け治具を用いて、基礎の側面に養生テープを貼り付ける際の状態を示す概略側面断面図である。
【発明を実施するための形態】
【００２４】
以下、本発明に係る養生テープ貼り付け治具の実施形態について、図面を参照しつつ説明する。本発明に係る養生テープ貼り付け治具１は、基礎の立ち上がり部の側面に養生テープを貼り付けるためのものであって、図１〜図５に示すように、上下一対のプレート部材２，３と、ロール状に巻かれた養生テープ４を保持する保持部５と、上部側のプレート部材２に設けられる車輪６と、上下一対のプレート部材２，３に取り付けられるハンドル７ａ，７ｂと、上下一対のプレート部材２，３に回転自在に取り付けられる押圧ローラ８とを備えている。また、養生テープ貼り付け治具１は、保持部５から引き出された養生テープ４を案内するためのガイドローラ９と、車輪６の高さ位置を調節するための高さ調節手段１０と、押圧ローラ８を保護するためのガード部材１１とを備えている。
【００２５】
上下一対のプレート部材２，３は、図６及び図７に示すように、それぞれ略同一形状に形成された薄板状の部材である。上部プレート部材２は、図９に示すように、養生テープ４を基礎の立ち上がり部１４の側面１４ｂに貼り付ける際の図９中に矢印で示す養生テープ貼り付け治具１の移動方向Ａに対して長尺に形成されている。この上部プレート部材２は、略中央に立ち上がり部１４の側面１４ｂから離れる方向に直交するように形成された保持部取付片２１と、両端側に立ち上がり部１４の側面１４ｂから離れる方向に直交するように形成されたハンドル取付片２２，２３とを有している。保持部取付片２１の先端には、図１，図６に示すように、保持部５の上部側の保持部材５１を取り付けるための切欠部２１ａが形成されている。また、ハンドル取付片２２，２３の先端側には、ハンドル７ａ，７ｂの棒状部７１ａ、７１ｂをそれぞれ取り付けるための孔２２ａ，２３ａがそれぞれ形成されている。養生テープ貼り付け治具１の移動方向Ａの前方側に位置するハンドル取付片２２は、後方側に位置するハンドル取付片２３よりも長く形成されており、そのために養生テープ４の貼り付け作業時においては、ハンドル取付片２２の先端は、ハンドル取付片２３の先端よりも立ち上がり部１４の側面１４ｂから離れた位置にくる。また、上部プレート部材２には、図６に示すように、押圧ローラ８の上端側を取り付けるための孔２ａと、ガイドローラ９の上端側を取り付けるための孔２ｂと、高さ調節手段１０を取り付けるための孔２ｃと、ガード部材１１の上端側を取り付けるための孔２ｄとが形成されている。
【００２６】
下部プレート部材３も上部プレート部材２と同様に、図７に示すように、略中央に立ち上がり部１４の側面１４ｂから離れる方向に直交するよう形成された保持部取付片３１と、両端側に立ち上がり部１４の側面１４ｂから離れる方向に直交するよう形成されたハンドル取付片３２，３３とを有している。保持部取付片３１の先端には、保持部取付片２１の先端に形成されている切欠部２１ａと対応するように、保持部５の下部側の保持部材５２を取り付けるための孔３１ａが形成されている。また、ハンドル取付片３２，３３の先端側には、ハンドル取付片２２，２３の先端側に形成されている孔２２ａ，２３ａとそれぞれ対応するように、ハンドル７ａ，７ｂの棒状部７１ａ、７１ｂの下端側を取り付けるための孔３２ａ，３３ａがそれぞれ形成されている。養生テープ貼り付け治具１の移動方向Ａの前方側に位置するハンドル取付片３２も、上部プレート部材２のハンドル取付片２２と同様に後方側に位置するハンドル取付片３３よりも長く形成されており、そのために養生テープ４の貼り付け作業時においては、ハンドル取付片２２の先端がハンドル取付片３３の先端よりも立ち上がり部１４の側面１４ｂから離れた位置にくる。また、下部プレート部材３には、押圧ローラ８の下端側を取り付けるための孔３ａと、ガイドローラ９の下端側を取り付けるための孔３ｂと、ガード部材１１の下端側を取り付けるための孔３ｄとが形成されている。これらの孔３ａ、３ｂ，３ｄは、それぞれ上部プレート部材２に形成されている孔２ａ、２ｂ，２ｄの位置に対応するように下部プレート部材３にそれぞれ形成されている。
【００２７】
養生テープ４は、基礎の立ち上がり部１４の側面１４ｂに貼り付けるためのものであって、詳しくは図示しないが、円筒状の芯材にロール状に巻かれたものである。この養生テープ４は、図３及び図４に示すように、保持部５によって回転自在に保持されており、作業時は上下一対のプレート部材２，３の図９中の矢印Ａ方向への移動に伴って回転することにより、保持部５から引き出されるようになっている。養生テープ４としては、例えば、基材としてポリオレフィン系フィルム、粘着剤としてアクリル系粘着剤が使用されている住友スリーエム社製の「３ＭＴＭコンクリート保水養生テープ２２２７ＨＰ」等を用いることができる。このような養生テープ４をコンクリート型枠の脱枠後に、立ち上がり部１４の側面１４ｂに貼り付けることにより、コンクリート表面を保水養生することで、乾燥収縮を大幅に低減でき、コンクリート表面の緻密化し、耐久性を向上させることができる。尚、養生テープ４の種類は、これに限定されるものではなく、基礎の立ち上がり部１４の側面１４ｂのコンクリート表面を保水養生することで、乾燥収縮を低減できるものであれば良い。
【００２８】
保持部５は、ロール状に巻かれた養生テープ４を保持するためのものであって、図１及び図２に示すように、それぞれ略円柱状に形成されている上下一対の保持部材５１，５２を備えている。上部側の保持部材５１は、上部プレート部材２の保持部取付片２１の先端に形成された切欠部２１ａにノブ５３及び不図示のベアリングを介して回転自在に取り付けられている。また、下部側の保持部材５２は、下部プレート部材３の保持部取付片３１の先端に形成された孔３１ａに不図示のベアリングを介して回転自在に取り付けられている。従って、養生テープ４は、図３及び図４に示すように、上下一対の保持部材５１，５２に養生テープ４がロール状に巻かれた円筒状の芯材が挿し込まれることにより、上下一対の保持部材５１，５２の間に挟まれた形で回転自在に保持される。
【００２９】
車輪６は、図８及び図９に示すように、立ち上がり部１４の天端面１４ａに引っ掛けられた状態で転動するものであり、車輪６の天端面１４ａに接触する外周部分は、例えば、摩擦抵抗の大きいゴムや樹脂等により形成されている。この車輪６は、高さ調節手段１０を介して軸６１を中心に回転自在に上部プレート部材２に設けられている。養生テープ貼り付け治具１では、車輪６は、図９に示すように、移動方向Ａに対して所定間隔離して２個設けられており、立ち上がり部１４の天端面１４ａに安定した状態で引っ掛けることができる。車輪６の幅は、当該車輪６が天端面１４ａ上を転動する際に、立ち上がり部１４の天端面１４ａから上方へ突出するアンカーボルト１５に接触することがないように調整されている。尚、図８では、車輪６の幅方向の高さ調節手段１０側の端部が天端面１４ａの縁からはみ出している状態になっているが、図１０に示すように、車輪６の幅方向全体が、天端面１４ａの縁よりも内側に位置するように構成しても良い。この場合には、立ち上がり部１４の上端側のレベリング材が施工された仕上層１６により天端面１４ａの縁にバリが生じている場合や縁に面取りを施しているような場合でも、車輪６は、そのバリや面取りの影響を受けることなく、天端面１４ａ上を転動することができるので、養生テープ４を天端面１４ａからの高さを一定に維持したまま、貼り付けることができる。この調節は、車輪６の軸６１の長さを変えることにより行うことができる。図８では、養生テープ４の上端が立ち上がり部１４の天端面１４ａから所定距離ｈだけ下方に位置するように、立ち上がり部１４の側面１４ｂに養生テープ４を貼り付けている。これにより、養生テープ４を側面１４ｂから剥がれ難くすることができる。また、車輪６の外周面に滑り止め用の溝等を形成することにより、作業時に養生テープ貼り付け治具１の移動方向Ａに対して直交する方向に滑りにくくするように構成しても良い。また、車輪６が設けられる位置及び車輪６の数は、本実施形態に限定されるものではなく、少なくとも養生テープ貼り付け治具１が立ち上がり部１４の天端面１４ａに引っ掛けられた状態で転動できるように設けられていれば良い。
【００３０】
高さ調節手段１０は、車輪６の高さ位置を調節するためのものであって、図２〜図５に示すように、上部プレート部材２の上面に固定される薄板状の固定片１０ａと、固定片１０ａに対して直交して設けられる薄板状の車輪取付片１０ｂとにより略Ｌ字形状に構成されている。車輪取付片１０ｂには、車輪６が回転自在に装着される軸６１を支持するための支持孔１０ｃが複数形成されている。この支持孔１０ｃは、それぞれ高さが異なる位置に形成されており、軸６１を取り付ける支持孔１０ｃを変更することにより、車輪６の高さを調節できるようになっている。軸６１は、その基端側に雄ねじ（不図示）が形成されており、基端側が支持孔１０ｃに挿通された状態で、ナット６２と締結されることにより、車輪取付片１０ｂに取り付けられる。また、このように車輪６の高さを調節することにより、養生シート４の天端面１４ａからの高さを必要に応じて調節することができる。尚、高さ調節手段１０は、これに限定されるものではなく、車輪６の高さ位置を調節できるものであれば良い。
【００３１】
ハンドル７ａ、７ｂは、図９に示すように、持部５から引き出される養生テープ４を立ち上がり部１４の側面１４ｂに貼り付ける際に、作業者が手動にて養生テープ貼り付け治具１を立ち上がり部１４の側面１４ｂに沿って移動させるためのものであって、上下一対のプレート部材２，３に移動方向Ａに対して所定間隔離してそれぞれ取り付けられている。ハンドル７ａ、７ｂは、図１及び図４に示すように、上端が上部プレート部材２よりも上方に位置するように上下方向に延びる略円柱状に形成された棒状部７１ａ、７１ｂと、それぞれの棒状部７１ａ、７１ｂの上端側に設けられ、棒状部７１ａ、７１ｂに略直交し、立ち上がり部１４の側面１４ｂから離れる方向に延びる略円柱状の把持部７２ａ、７２ｂとを有している。また、棒状部７１ａ、７１ｂと把持部７２ａ、７２ｂは、図３〜図５に示すように、それぞれ連結部材７３を介して連結されている。この連結部材７３には、詳しくは図示しないが、棒状部７１ａ、７１ｂの上端側を嵌合可能な嵌合孔と、把持部７２ａ、７２ｂの基端側を嵌合可能な嵌合孔とを有しており、それぞれを嵌合させた状態で、例えば、ねじ等の締付部材によって締め付けることにより棒状部７１ａ、７１ｂ及び把持部７２ａ、７２ｂが連結部材７３に取り付けられる。尚、棒状部７１ａ、７１ｂと把持部７２ａ、７２ｂをそれぞれ一体として形成するようにしても良い。
【００３２】
ハンドル７ａの棒状部７１ａは、上下一対のプレート部材２，３の移動方向Ａの前方側の端部にそれぞれ形成されているハンドル取付片２２，３２の先端側に取り付けられている。また、ハンドル７ｂの棒状部７１ｂは、上下一対のプレート部材２，３の移動方向Ａの後方側の端部にそれぞれ形成されているハンドル取付片２３，３３の先端側に取り付けられている。また、移動方向Ａの前方側に位置するハンドル取付片２２，３２は、後方側に位置するハンドル取付片２３，３３よりも長く形成されているので、ハンドル７ａは、図９に示すように、養生テープ４の貼り付け作業時において、ハンドル７ｂよりも立ち上がり部１４の側面１４ｂから離れて位置する。従って、作業者は、移動方向Ａに対して力を入れ易い体勢でハンドル７ａの把持部７２ａ及びハンドル７ｂの把持部７２ｂをそれぞれ把持して作業を行うことができる。また、把持部７２ａ，７２ｂは、上部プレート部材２よりも上方に位置するように設けられているので、作業者は、把持部７２ａ、７２ｂを把持した状態で養生テープ取り付け治具１を移動させて立ち上がり部１４の側面１４ｂに養生テープ４を貼り付けることができるので、姿勢をほとんど屈める必要がなく、作業者の負担を軽減することができる。また、把持部７２ａ、７２ｂは、棒状部７１ａ、７１ｂの上端側に、立ち上がり部１４の側面１４ｂから離れる方向に向けて延びるように設けられているので、作業者は、把持部７２ａ、７２ｂに対して下向きの力を加えることにより、立ち上がり部１４の天端面１４ａに引っ掛けられた車輪６を支点としたてこの原理により押圧ローラ８に対して養生テープ４を立ち上がり部１４の側面１４ｂに押し付ける力を容易に作用させることができる。そのため、作業者は、少ない力で押圧ローラ８により養生テープ４を立ち上がり部１４の側面１４ｂ側に押圧することができるので、作業者の負担を軽減しつつ、効率的に貼り付け作業を行うことができる。尚、棒状部７１ａ，７１ｂの上部プレート部材２と下部プレート部材３と間の位置する部分を把持して作業を行うことも可能である。
【００３３】
また、棒状部７１ａ、７１ｂは、それぞれ１つの部材で構成しても良いが、例えば、下方側と上方側の２本の棒部材に分割したものを連結することにより構成しても良い。具体的には、例えば、下方側の棒部材の上端に雌ねじ又は雄ねじを形成しておき、上方側の棒部材の下端に下方側の棒部材の上端に形成された雌ねじ又は雄ねじに螺合可能な雄ねじ又は雌ねじを形成しておくことで、上下の棒部材を螺合させることにより連結することができる。この場合、下方側の棒部材を、上下一対のプレート部材２，３に取り付けるようにしておけば、上方側の棒部材を取り外した場合でも、下方側の棒部材のみをハンドルとして利用することも可能である。
【００３４】
押圧ローラ８は、上下一対のプレート部材２，３の移動に伴って保持部５から引き出された養生テープ４を立ち上がり部１４の側面１４に押圧して貼り付けるためのものであって、図３及び図４に示すように、上下一対のプレート部材２，３に回転自在に縦向きに取り付けられている。養生テープ取り付け治具１では、図９に示すように、上下一対のプレート部材２，３に移動方向Ａに対して所定間隔離して２個の押圧ローラが設けられている。押圧ローラ８は、例えば、外周面がゴム、スポンジ等の若干弾性を有する部材で構成されており、養生テープ４と立ち上がり部１４の側面１４との間に気泡が入らないように密着させながら貼り付けることができる。また、押圧ローラ８の高さは、図８に示すように、養生テープ４の幅よりも若干長く形成されており、養生テープ４全体を立ち上がり部１４の側面１４にしっかりと押圧できるように構成されている。
【００３５】
ガイドローラ９は、図３及び図５に示すように、主に上下一対のプレート部材２，３の移動に伴って保持部５から引き出された養生テープ４を張った状態で押圧ローラ８等に案内するためのものであって、上下一対のプレート部材２，３に回転自在に取り付けられている。養生テープ貼り付け治具１では、ガイドローラ９は、図９に示すように、保持部５から引き出された養生テープ４が移動方向Ａに対して前方側の押圧ローラ８に至るまでの間に２個設けられている。
【００３６】
また、図９に示すように、移動方向前方側の押圧ローラ８に対して立ち上がり部１４の側面１４ｂの反対側には、ガード部材１１が設けられている。ガード部材１１は、保持部５から引き出された養生テープ４を作業者がカッター等で切断する際に、前方側の押圧ローラ８の表面を誤って傷付けてしまうことを防止するためのものであって、図２及び図９に示すように、上下一対のプレート部材２，３にその上下端が取り付けられている。このガード部材１１は、前方側の押圧ローラ８の回転を阻害することなく、押圧ローラ８を保護するために、押圧ローラ８から若干離して配置されており、背面側を覆うように高さが押圧ローラ８と略同等に形成されている。
【００３７】
以下、本実施形態に係る養生テープ取り付け治具１を用いて、基礎１２の立ち上がり部１４の側面１４ｂに養生テープ４を貼り付ける作業について図面を参照しつつ説明する。ここでは、図８に示すように、基礎１２として、コンクリート内部に鉄筋１７を埋設した鉄筋コンクリート造のものであって、略直方体状のフーチング部１３と、該フーチング部１３の上面略中央から立ち上がった略四角柱状の立ち上がり部１４とを有する断面逆Ｔ字状に形成されている基礎１２の立ち上がり部１４の側面（内側面）１４ｂに養生テープ４を貼り付ける場合を例に説明する。この基礎１２では、立ち上がり部１４の上端側は、レベル調整や水平性を確保する不陸調整のために、レベリング材を施工してなる平滑な仕上層１６が所定の厚みで形成されており、その仕上層１６の上面を立ち上がり部１４の天端面１４ａとしている。また、立ち上がり部１４には、アンカーボルト１５が埋設されており、このアンカーボルト１５は、上端が立ち上がり部１４の天端面１４ａから上方へ突出するように設けられている。尚、図８では図示していないが、フーチング部１３及び立ち上がり部１４の下端は、地盤に埋設された状態になる。
【００３８】
養生テープ取り付け治具１を用いた養生テープ４の貼り付け作業のタイミングとしては、例えば、基礎１２を構築して、コンクリート型枠を脱枠した後に貼り付け作業を行う。基礎１２の構築に際しては、まず鉄筋１７やアンカーボルト１５をセットした型枠内にコンクリートを打設して、フーチング部１３及び立ち上がり部１４を形成する。次に、立ち上がり部１４にレベリング材を流し込んで仕上層１６を形成する。そして、型枠を脱枠した後、養生テープ取り付け治具１を用いて、立ち上がり部１４の側面１４ｂにコンクリート表面を保水養生することで、乾燥収縮を低減するための養生テープ４を貼り付ける。
【００３９】
立ち上がり部１４の側面１４ｂに養生テープ４を貼り付ける際には、まず作業者は、保持部５からガイドローラ９を介して押圧ローラ８を通過し、ハンドル取付片２３側のガイドローラー９まで養生テープ４を引き出した状態で、図８及び図９に示すように、車輪６を立ち上がり部１４の天端面１４ａに引っ掛けた状態にする。尚、作業者は、必要に応じて養生テープ４の貼り付け作業を行うに際して、予め車輪６の高さを調節しておく。例えば、図８に示すように、養生テープ４の上端が立ち上がり部１４の天端面１４ａから所定距離ｈだけ下方に位置するように、車輪６の高さを調節しておくことにより、側面１４ｂに貼り付けられた養生テープ４を剥がれ難くすることができる。
【００４０】
次に、作業者は、ハンドル７ａの把持部７２ａ及びハンドル７ｂの把持部７２ｂをそれぞれの手で把持した状態で、軽く下向きに力を入れることにより押圧ローラ８を立ち上がり部１４の側面１４ｂに押し付けた状態で、移動方向Ａへと押し進める。これにより、車輪６は、天端面１４ａ上を転動し、養生テープ貼り付け治具１が立ち上がり部１４の側面１４ｂに沿って移動方向Ａ側へ移動する。この養生テープ貼り付け治具１の移動に伴って、保持部５から引き出された養生テープ４は、押圧ローラ８によって粘着剤が付着した貼付面が立ち上がり部１４の側面１４ｂに押圧されて貼り付けられる。
【００４１】
そして、養生テープ４が立ち上がり部１４の側面１４ｂの所望の位置まで貼り付けられた後、作業者は、カッター等の切断手段によって、保持部５と当該保持部５から最初に案内されるガイドローラ９との間に位置する部分の養生テープ４を切断する。この際、保持部５と最初に案内されるガイドローラ９との間には、前方側の押圧ローラ８を保護するガード部材１１が設けられているので、作業者は、押圧ローラ８を傷付けないことを特に意識することなく、切断作業を行うことができる。そして、切断された後の前方側の押圧ローラ８から切断箇所までの養生テープ４は、再び養生テープ貼り付け治具１を移動方向Ａ側へ移動させることにより、押圧ローラ８によって立ち上がり部１４の側面１４ｂに押圧して貼り付けたり、必要に応じて手作業で丁寧に貼り付けたり、不必要な場合には切り取る等、適宜状況に応じて作業を行う。また、基礎１２の立ち上がり部１４が交差して形成される角部に養生テープ４を貼り付ける場合には、例えば、作業者は、養生テープ貼り付け治具１をハンドル取付片３２が移動方向Ａに対して直交する側の基礎１２の立ち上がり部１４の内側面に当接する直前、つまり角部の直前まで移動させ、その位置で、保持部５と当該保持部５から最初に案内されるガイドローラ９との間に位置する部分の養生テープ４を切断する。そして、作業者は、切断された後の前方側の押圧ローラ８から切断箇所までの養生テープ４を角部を跨ぐように貼り付ける。その後、作業者は、養生テープ貼り付け治具１を養生テープ４が貼り付け終わった立ち上がり部１４に直交する側の立ち上がり部１４の側面へと方向を転換し、同様の貼り付け作業を行う。
【００４２】
このように、養生テープ貼り付け治具１を用いて、立ち上がり部１４の側面１４ｂに貼り付け作業を行うことにより、貼り付け時にしわが発生することを抑制しつつ、養生テープ４の天端面１４ａからの高さを一定に維持したまま、養生テープ４の貼り付け作業を効率的に行うことができる。これにより、作業時間を大幅に短縮することができると共に、見栄えを改善することができる。また、このような養生テープ４をコンクリート型枠の脱枠後に、立ち上がり部１４の側面１４ｂに貼り付けることにより、コンクリート表面を保水養生することで、乾燥収縮を大幅に低減でき、コンクリート表面の緻密化し、耐久性を向上させることができる。
【００４３】
尚、本発明の実施の形態は上述の形態に限ることなく、本発明の思想の範囲を逸脱しない範囲で適宜変更することができる。
【符号の説明】
【００４４】
１              養生テープ貼り付け治具
２              上部プレート部材
３              下部プレート部材
４              養生テープ
５              保持部
６              車輪
７ａ、７ｂ      ハンドル
７１ａ、７１ｂ  棒状部
７２ａ、７２ｂ  把持部
８              押圧ローラ
９              ガイドローラ
１０            高さ調節手段
１１            ガード部材
１２            基礎
１４            立ち上がり部
１４ａ          天端面
１４ｂ          側面（内側面）
【図１】
2015187327.tif 000003
【図２】
2015187327.tif 000004
【図３】
2015187327.tif 000005
【図４】
2015187327.tif 000006
【図５】
2015187327.tif 000007
【図６】
2015187327.tif 000008
【図７】
2015187327.tif 000009
【図８】
2015187327.tif 000010
【図９】
2015187327.tif 000011
【図１０】
2015187327.tif 000012